(57)【要約】【課題】  外光の変化速度に合わせて定照度制御時の照明負荷の変化速度を可変とする事で、普段は使用者に違和感を与えない照明負荷の変化速度で定照度制御を行い、必要に応じては高速で定照度制御を行う事で快適で適切な照明環境を提供する。また、床面の反射率の変化ではその調光速度が変わらず、外光の変化特に照明の明るさが変わらないと不快に感じやすい外光が少なくなった場合に、調光速度が高速に変わる照明装置および照明システムを提供する。【解決手段】  照明負荷２と、明るさセンサ１と、明るさセンサ１からの情報に基づき照明負荷２を定照度制御する制御部３とを備えた照明装置において、制御部３は、明るさセンサ１に入力される外光の変化値が、予め定められた所定の変化値より大きいときに照明負荷２の出力補正速度を可変する。【選択図】        図３
2005071776.tif 000002
【特許請求の範囲】
【請求項１】
少なくとも１つの照明負荷と、明るさセンサと、前記明るさセンサからの情報に基づき前記照明負荷を定照度制御する制御部とを備えた照明装置において、
前記制御部は、前記明るさセンサに入力される外光の変化値が、予め定められた所定の変化値より大きいときに前記照明負荷の出力補正速度を可変することを特徴とする照明装置。
【請求項２】
前記外光が所定の変化値以上に減少した場合に、通常時より高速で定照度制御を行う請求項１記載の照明装置。
【請求項３】
前記明るさセンサの入力値に上限の閾値および下限の閾値を設け、前記明るさセンサの入力値が前記上限の閾値以上の状態から下限の閾値以下の状態に至り、かつ、前記定照度制御で所定の点灯レベル以下に前記照明負荷の出力が制御されている場合に、前記所定の変化値以上に外光が減少した場合と判断する請求項２記載の照明装置。
【請求項４】
前記所定の点灯レベルとは、定照度制御時に取り得る最小の点灯レベルである請求項３記載の照明装置。
【請求項５】
前記明るさセンサに設ける下限の閾値を、他の照明装置が制御している照明負荷のうち前記明るさセンサが影響を受ける台数に応じて可変とする請求項３または請求項４記載の照明装置。
【請求項６】
前記明るさセンサの入力値が所定の時間内に前記上限の閾値以上の状態から前記下限の閾値以下の状態に至りかつ、前記定照度制御で所定の点灯レベル以下に前記照明負荷の出力が制御されている場合に、前記所定の閾値以上に外光が減少した場合と判断する請求項３、請求項４または請求項５記載の照明装置。
【請求項７】
請求項２、請求項３、請求項４、請求項５または請求項６に記載した複数の照明装置と、前記照明装置間を接続する通信ネットワークとで構成される照明システムにおいて、
所定の閾値以上に外光が減少変化した場合に通常時より高速で定照度制御を行っている第１の照明装置に隣接する第２の照明装置は、前記第１の照明装置が高速で定照度制御を行っている間は定照度制御を行わない事を特徴とする照明システム。
【請求項８】
請求項２、請求項３、請求項４、請求項５または請求項６に記載した複数の照明装置と、前記照明装置間を接続する通信ネットワークとで構成される照明システムにおいて、
複数の照明装置で複数のグループを構成し、外光が減少変化した場合に通常時より高速で定照度制御を行っている第１のグループに隣接する第２のグループは、前記第１のグループが高速で定照度制御を行っている間は定照度制御を行わない事を特徴とする照明システム。
【発明の詳細な説明】
【技術分野】
【０００１】
本発明は、照明負荷の点灯状態を明るさセンサの入力値で制御するような照明装置および照明システムに関するものである。
【背景技術】
【０００２】
従来例の構成を図１に示す。制御部１は明るさセンサ１の入力値を基に照明負荷２の調光制御を行う。明るさセンサ１は制御部１に接続され、制御部１に対して検知エリア内の明るさ値を送信する。調光信号出力部４は制御部３と照明負荷２とに接続され、照明負荷２に対して調光信号を送信する。照明制御装置５は天井面に設置され、制御部３と明るさセンサ１と調光信号出力部４とで構成される。照明負荷２は、調光信号出力部４に接続され、調光信号出力部４からの調光信号で調光点灯をする。
【０００３】
動作としては、照明制御装置５は外光と照明負荷２の光出力による下面からの反射光を明るさセンサ１で検出し、制御部３に予め設定してある目標値と比較して目標値より明るいと判断した時には点灯レベルを小さくし、目標値より暗いと判断した時には点灯レベルを大きくする事で床面の明るさを一定に保つ様にフィードバック制御を行う。
【０００４】
従来のフイードバック制御による定照度制御の方法は、予め設定された固定のピッチに従い明るさセンサ１で明るさを測定し、固定の変化幅で点灯レベルを変化させていく、というものであった。定照度制御による点灯レベルの変化速度は、使用者に違和感を与えない程度に遅くするのが一般的である。
【０００５】
ここで、明るさセンサの目標値を求める方法と、定照度制御を行う方法について代表的なものを以下に示す。
【０００６】
明るさセンサの目標値を求める方法には、照明負荷の調光補正を行い、床面の照度を照度計で計測するという手順で、床面の照度が任意の目標照度を実現するまでその手順を繰り返す。そして、床面の照度が任意の目標照度を実現した時点での明るさセンサの入力値を目標値として記憶する。
【０００７】
定照度制御を行う方法は、明るさセンサの入力値を読み込み、その明るさセンサの入力値と目標値とを比較する。明るさセンサ入力値＞目標値の場合、照明負荷の点灯レベルを小さくする。明るさセンサ入力値＜目標値の場合、照明負荷の点灯レベルを大きくする。以降、上記の動作を一定間隔毎に繰り返す。
【０００８】
この制御方式での点灯レベルの推移例を図２に示す。図２（ａ）はセンサ値、図２（ｂ）は負荷出力である。図２において、丸印１の時点以降は外光が変化（増加）し、明るさセンサの値が大きくなる。丸印２の時点以降は定照度制御により照明負荷の点灯レベルを下げ始める。丸印３から４では明るさセンサの値が目標値と一致したので、点灯レベルを一定に保つ。丸印４から５では外光が急激に変化（減少）し、明るさセンサの値が急激に小さくなる。丸印５以降の時点では定照度制御により照明負荷の点灯レベルを上げ始める。
【０００９】
また、特許文献１では、明るさセンサの入力値がランプ、外光、床面の反射率等で変わると、この明るさセンサの入力値の差に応じてその調光変化速度を可変にしている。
【特許文献１】特開平１０−３３５０７４号公報
【発明の開示】
【発明が解決しようとする課題】
【００１０】
従来の方法においては、外光の変化速度に関わらず常に一定速度で定照度制御を行っていたため、急激に外光が変化した場合、特に外光が急激に減少した場合に十分な照度を照明負荷の出力で補うまでに長時間を要する事があり、快適な照明制御が行えていない場合があった。
【００１１】
また特許文献１では、明るさセンサの入力値がランプ、外光、床面の反射率等で変わり、この明るさセンサの入力値の差に応じてその調光変化速度を可変にしているので、床面に白い紙を広げたりして、床面の反射率が大きく変わった倍にも高速で調光するので、その変化が人にわかってしまい、不快感を与える。
【００１２】
本発明は上記のような課題を解決しようとするものであり、その目的とするところは外光の変化速度に合わせて定照度制御時の照明負荷の変化速度を可変とする事で、普段は使用者に違和感を与えない照明負荷の変化速度で定照度制御を行い、必要に応じては高速で定照度制御を行う事で快適で適切な照明環境を提供する。
【００１３】
また、床面の反射率の変化ではその調光速度が変わらず、外光の変化特に照明の明るさが変わらないと不快に感じやすい外光が少なくなった場合に、調光速度が高速に変わる照明装置および照明システムを提供することである。
【課題を解決するための手段】
【００１４】
この発明の照明装置は、少なくとも１つの照明負荷と、明るさセンサと、前記明るさセンサからの情報に基づき前記照明負荷を定照度制御する制御部とを備えた照明装置において、
前記制御部は、前記明るさセンサに入力される外光の変化値が、予め定められた所定の変化値より大きいときに前記照明負荷の出力補正速度を可変することを特徴とするものである。
【００１５】
上記構成において、前記外光が所定の変化値以上に減少した場合に、通常時より高速で定照度制御を行う。
【００１６】
上記構成において、前記明るさセンサの入力値に上限の閾値および下限の閾値を設け、前記明るさセンサの入力値が前記上限の閾値以上の状態から下限の閾値以下の状態に至り、かつ、前記定照度制御で所定の点灯レベル以下に前記照明負荷の出力が制御されている場合に、前記所定の変化値以上に外光が減少した場合と判断する。
【００１７】
上記構成において、前記所定の点灯レベルとは、定照度制御時に取り得る最小の点灯レベルである。
【００１８】
上記構成において、前記明るさセンサに設ける下限の閾値を、他の照明装置が制御している照明負荷のうち前記明るさセンサが影響を受ける台数に応じて可変とする。
【００１９】
上記構成において、前記明るさセンサの入力値が所定の時間内に前記上限の閾値以上の状態から前記下限の閾値以下の状態に至りかつ、前記定照度制御で所定の点灯レベル以下に前記照明負荷の出力が制御されている場合に、前記所定の閾値以上に外光が減少した場合と判断する。
【００２０】
この発明の照明システムは、前記した複数の照明装置と、前記照明装置間を接続する通信ネットワークとで構成される照明システムにおいて、所定の閾値以上に外光が減少変化した場合に通常時より高速で定照度制御を行っている第１の照明装置に隣接する第２の照明装置は、前記第１の照明装置が高速で定照度制御を行っている間は定照度制御を行わない事を特徴とするものである。
【００２１】
またこの発明の照明システムは、複数の照明装置と、前記照明装置間を接続する通信ネットワークとで構成される照明システムにおいて、複数の照明装置で複数のグループを構成し、外光が減少変化した場合に通常時より高速で定照度制御を行っている第１のグループに隣接する第２のグループは、前記第１のグループが高速で定照度制御を行っている間は定照度制御を行わない事を特徴とするものである。
【発明の効果】
【００２２】
本発明は、明るさセンサの入力値の変化状態に応じて定照度制御時の照明負荷の出力補正速度を可変とする事で、通常時は違和感を与えない点灯レベルの変化速度で定照度制御を行うが、外光が大きく変化した場合には直ちに照度の補正を行う事ができるという効果を奏する。
【００２３】
本発明は、所定の変化値以上に外光が減少変化した場合に、通常時より高速で定照度制御を行う事で、通常時は違和感を与えない点灯レベルの変化速度で定照度制御を行うが、外光が急激に減少した場合には直ちに照度の補正を行い、快適な照明制御を行う事ができるという効果を奏する。
【００２４】
本発明は、明るさセンサの入力値に上限の閾値および下限の閾値を設け、明るさセンサの入力値が上限の閾値以上の状態から下限の閾値以下の状態に至りかつ、定照度制御で所定の点灯レベル以下に照明負荷の出力が制御されている場合に、所定の変化値以上に外光が減少変化した場合と判断する事で、外光が急激に減少した事を正確に判断する事が可能となり、必要時にのみ高速での定照度制御を行う事ができるという効果を奏する。
【００２５】
本発明は、明るさセンサの入力値に上限の閾値値と下限の閾値値を設け、明るさセンサの入力値が上限の閾値以上の状態から下限の閾値以下の状態に至り、かつ定照度制御で照明負荷の出力が定照度制御時に取り得る最小の値で制御されている場合に、前記所定の変化値以上に外光が減少変化した場合と判断する事で外光が急激に減少した事を正確に判断する事が可能となり、必要時にのみ高速での定照度制御を行う事ができるという効果を奏する。
【００２６】
本発明は、下限の閾値を、他の照明制御装置が制御している照明負荷のうち明るさセンサが影響を受ける台数に応じて可変にする事を特徴とする事で、他の照明制御装置に制御されている照明負荷の影響を明るさセンサが受けても、外光が大きく変化した場合には直ちに照度の補正を行う事ができるという効果を奏する。
【００２７】
本発明は、所定の時間以内に明るさセンサの入力値が上限の閾値以上の状態から下限の閾値以下の状態に至りかつ、定照度制御で所定の点灯レベル以下に照明負荷の出力が制御されている場合に、所定の変化値以上に外光が減少変化した場合と判断する事で、外光が急激に減少した事を正確に判断する事が可能となり、必要時にのみ高速での定照度制御を行う事ができるという効果を奏する。
【００２８】
本発明は、所定の閾値以上に外光が減少変化した場合に通常時より高速で定照度制御を行っている照明制御装置（甲）に隣接する照明制御装置（乙）は、照明制御装置（甲）が高速で定照度制御を行っている間は定照度制御を行わない事で、高速で定照度制御していない他の照明制御装置が連動して照明負荷の出力を変化させる事を予防する事ができるという効果を奏する。
【００２９】
本発明は、複数の照明制御装置でグループを構成し、外光が減少変化した場合に通常時より高速で定照度制御を行っているグループ（甲）に隣接するグループ（乙）は、前記グループ（甲）が高速で定照度制御を行っている間は定照度制御を行わない事で、高速で定照度制御していない他のグループの照明制御装置が連動して照明負荷の出力を変化させる事を予防する事ができるという効果を奏する。
【発明を実施するための最良の形態】
【００３０】
この発明の第１の実施の形態を図３および図４に示す。この照明装置は図３に示す様に構成されている。すなわち、明るさセンサ１は制御部３に接続され制御部付近の床面の明るさを測定する。制御部３は明るさセンサ１の入力値を基に複数の照明負荷２、６の調光制御を行う。調光信号出力部４は制御部３に接続され、複数の照明負荷２、６に調光信号を出力する。照明制御装置５は天井面に設置され制御部３と明るさセンサ１と調光信号出力部４とで構成される。複数の照明負荷２、６は制御部３により調光制御可能である。
【００３１】
さらに詳しく説明する。明るさセンサ１は、制御部３に接続されており検知エリア内の明るさを検出し、定期的に制御部３に対して検知エリア内の明るさ値を送信する。本実施の形態では、明るさセンサ１の値は0〜5〔v〕の範囲で測定される。
【００３２】
調光信号出力部４は、制御部２と複数の照明負荷２、６に接続されており、制御部３から信号を受けて複数の照明負荷２、６に対して調光信号を出力する。
【００３３】
照明負荷２、６は、調光信号出力部４に接続されており調光信号出力部４からの信号を受けて調光点灯する。
【００３４】
制御部３は、明るさセンサ１と調光信号出力部４とに接続されており、常に一定間隔で明るさセンサの値を読み込み、明るさセンサ１の値が予め設定された目標値と一致するように、調光信号出力部４を介して、複数の照明負荷２、６に調光信号を送信する。読み込んだ明るさセンサ１の値と目標値との差が大きい場合は照明負荷の出力変化量を大きくするように調光信号を送信し、差が小さい場合には照明負荷２、６の出力変化量を小さくするように調光信号を送信する。
【００３５】
本実施の形態における明るさセンサ１の値と目標値との差と、照明負荷の出力変化量との関係は表１に示す通りである。
【００３６】
【表１】
2005071776.tif 000003
【００３７】
第１の実施の形態における点灯レベルの推移例を図４により説明する。図４（ａ）はセンサ値、図４（ｂ）は負荷出力である。図４中の時点、すなわち丸印１〜７は明るさセンサ１の値を読み込むタイミングを示している。丸印１の時点で明るさセンサの値は、目標値と一致するので、現在の点灯レベルを維持する。丸印２の時点でセンサの値は目標値より大きく、差が２Ｖ以上なので、調光率を3％下げる。丸印３の時点ではセンサの値は目標値より大きく、差が1〜2Ｖなので、調光率を2％下げる。丸印４の時点は丸印３と同じである。丸印５は明るさセンサの値は目標値より大きく、差が1Ｖ以下なので、調光率を1％下げる。丸印６の時点は丸印５と同じである。丸印７の時点は明るさセンサ１の値は、目標値と一致するので、現在の点灯レベルを維持する。
【００３８】
以下同様にして、明るさセンサの値と目標値の差によって照明負荷の出力変化量を変えながら定照度制御を行う様に点灯レベルが推移する。
【００３９】
本実施の形態では、定照度制御により点灯レベルを下げる動作を示したが、逆の動作も同様に行う。
【００４０】
また、本実施の形態では明るさセンサ１の値を読み込む間隔を一定として照明負荷２、６の出力変化量を可変としたが、照明負荷２、６の出力変化量を一定として明るさセンサ１の読み込み間隔を可変としてもよい。
【００４１】
また、本実施の形態では図3に示す構成を用いたが、図1に示す様な構成を用いてもよい。
【００４２】
この発明の第２の実施の形態を図１および図５に示す。この照明装置は図1に示す様な構成をとる。
【００４３】
明るさセンサ１は、制御部３に接続されており検知エリア内の明るさを検出し、定期的に制御部３に対して検知エリア内の明るさ値を送信する。本実施の形態では、明るさセンサ１の値は0〜5〔Ｖ〕の範囲で測定される。
【００４４】
調光信号出力部４は、制御部３と照明負荷２に接続されており、制御部３から信号を受けて照明負荷２に対して調光信号を出力する。
【００４５】
照明負荷２は、調光信号出力部４に接続されており調光信号出力部４からの信号を受けて調光点灯する。
【００４６】
制御部３は、明るさセンサ１と調光信号出力部４とに接続されており、明るさセンサ１の値が予め設定された目標値と一致する様に、調光信号出力部４を介して、照明負荷２に調光信号を送信する。通常時は一定間隔Ｔで明るさセンサ１の値を読み込み定照度制御を行うが、明るさセンサ１の値が目標値と比較して大幅に（本例では、1．5ｖ以上）下回る場合に、明るさセンサ１の読み込み間隔を短くして（本例では、T／3）、高速で定照度制御を行う。その後、明るさセンサ１の値が目標値と一致すれば明るさセンサ１の読み込み間隔を元に戻す。
【００４７】
第２の実施の形態における点灯レベルの推移例を図５により説明する。図５（ａ）はセンサ値、図５（ｂ）は負荷出力である。図5中の丸印１〜１１は明るさセンサ１の値を読み込むタイミングを示している。図5において、丸印１では明るさセンサ１の値は、目標値より大きいので、調光率をl％下げる。丸印２では丸印１と同じである。丸印３では明るさセンサ１の値は、目標値と一致するので、現在の点灯レベルを維持する。丸印４では明るさセンサ１の値は、目標値より小さいので、調光率を1％上げる。また、明るさセンサ１の値が目標値を規定値以上下回っているので、次回以降の明るさセンサの読み込み間隔を短くする。丸印５では明るさセンサ１の値は、目標値より小さいので、調光率を1％上げる。丸印６〜９は丸印５と同じである。丸印１０は明るさセンサ１の値は、目標値と一致するので、現在の点灯レベルを維持する。また、明るさセンサ１の読み込み間隔を元に戻す。丸印１１は丸印３と同じである。
【００４８】
以下同様にして、明るさセンサ１の値の変化具合から外光が急激に減少したと判断した場合には、通常時よりも高速で定照度制御を行う様に点灯レベルが推移する。また、高速で定照度制御を行う方法として本実施の形態では照明負荷の出力変化量を一定として明るさセンサの読み込み間隔を可変としたが、第１の実施の形態の様に明るさセンサの読み込み間隔を一定として照明負荷の出力変化量を可変としてもよい。                            
【００４９】
また、本実施の形態では図1に示す構成を用いたが、図3に示す様な構成を用いてもよい。
【００５０】
この発明の第３の実施の形態を図１および図６により説明する。この照明装置は図１と同様な構成をとる。明るさセンサ１、調光信号出力部４および照明負荷２は第２の実施の形態と同じ動作を行う。
【００５１】
制御部３は、明るさセンサ１と調光信号出力部４とに接続されており、明るさセンサ１の値が予め設定された目標値と一致する様に、調光信号出力部４を介して、照明負荷２に調光信号を送信する。通常時は一定間隔Tで明るさセンサ１の値を読み込み定照度制御を行うが、照明負荷２の出力が所定の点灯レベル以下（本例では、調光率33％の以下）で制御されている状態で、かつ明るさセンサ１の入力値が上限の閾値（本例では、目標値より大きな任意の値）から下限の閾値（本例では、目標値より小さな任意の値）まで変化した場合には、明るさセンサ１の読み込み間隔を短くして（本例では、T／3）、高速で定照度制御を行う。その後、明るさセンサ１の値が目標値と一致すれば明るさセンサ１の読み込み間隔を元の間隔Ｔに戻す。なお上下限の閾値は予め設定された値を用いる。
【００５２】
第３の実施の形態における点灯レベルの推移例を図６により説明する。図６（ａ）はセンサ値、図６（ｂ）は負荷出力である。図6中の丸印１〜９は明るさセンサ１の値を読み込むタイミングを示している。図６において、丸印１では明るさセンサ１の値は、目標値より大きいので、調光率を1％下げる。丸印２は丸印１と同じである。丸印３では明るさセンサ１の値が、上限の閾値から下限の閾値まで変化し、かつ照明負荷２の出力が調光率33％以下であるので、次回以降の明るさセンサ１の読み込み間隔を短くする。明るさセンサ１の値は、目標値より小さいので、調光率を1％上げる。丸印４では明るさセンサ１の値は、目標値より小さいので、調光率を1％上げる。丸印５〜７は丸印４と同じである。丸印８では明るさセンサ１の値は、目標値と一致するので、現在の点灯レベルを維持する。また、明るさセンサ１の読み込み間隔を元に戻す。
丸印９では明るさセンサ１の値は、目標値と一致するので、現在の点灯レベルを維持する。
【００５３】
以下同様にして、明るさセンサ１の値が上限の閾値から下限の閾値まで変化し、かつ照明負荷２の出力が所定の点灯レベル以下で制御されている場合に、通常時よりも高速で定照度制御を行う様に点灯レベルが推移する。また、高速で定照度制御を行う方法として本実施の形態では照明負荷の出力変化量を一定として明るさセンサの読み込み間隔を可変としたが、第１の実施の形態の様に明るさセンサの読み込み間隔を一定として照明負荷の出力変化量を可変としてもよい。
【００５４】
また、本実施の形態では図１に示す構成を用いたが、図３に示す様な構成を用いてもよい。
【００５５】
この発明の第４の実施の形態を図３および図７により説明する。本実施の形態は、図３に示すように第１の実施の形態と同様な構成をとる。明るさセンサ１、調光信号出力部４、照明負荷２、６は第２の実施の形態と同じ動作を行う。
【００５６】
制御部３は、明るさセンサ１と調光信号出力部４とに接続されており、明るさセンサ１の値が予め設定された目標値と一致する様に、調光信号出力部４を介して、照明負荷２、６に調光信号を送信する。
【００５７】
通常時は一定間隔Ｔで明るさセンサ１の値を読み込み定照度制御を行うが、照明負荷２、６の出力が定照度照明制御を行う際の下限の点灯レベルで制御されている状態で、かつ明るさセンサ１の入力値が上限の閾値（本例では、目標値より大きな任意の値）から下限の閾値（本例では、目標値より小さな任意の値）まで変化した場合には、明るさセンサの読み込み間隔を短くして（本例では、T／3）、高速で定照度制御を行う。その後、明るさセンサ１の値が目標値と一致すれば明るさセンサ１の読み込み間隔を元に戻す。なお上下限の閥値は予め設定された値を用いる。
【００５８】
第４の実施の形態における点灯レベルの推移例を図７により説明する。図７（ａ）はセンサ値、図７（ｂ）は負荷出力である。図7中の丸印１〜９は明るさセンサ１の値を読み込むタイミングを示している。図７において、丸印１では明るさセンサ１の値は、目標値より大きいので、調光率を下げようとするが、照明負荷の出力が定照度制御時の下限に達しており、これ以上調光率を下げる事ができない。丸印２は丸印１と同じである。丸印３では明るさセンサ１の値が、上限の閾値から下限の閾値まで変化し、かつ照明負荷の出力が定照度制御を行う際の下限のレベルで制御されているので、次回以降の明るさセンサ１の読み込み間隔を短くする。明るさセンサ１の値は、目標値より小さいので、調光率を1％上げる。丸印４では明るさセンサ１の値は、目標値より小さいので、調光率を1％上げる。丸印５〜７は丸印４と同じである。丸印８では、明るさセンサ１の値は、目標値と一致するので、現在の点灯レベルを維持する。また、明るさセンサ１の読み込み間隔を元に戻す。丸印９では明るさセンサ１の値は、目標値と一致するので、現在の点灯レベルを維持する。
【００５９】
以下同様にして、明るさセンサ１の値が上限の閾値から下限の閾値まで変化し、かつ照明負荷の出力が定照度制御を行う際の下限の点灯レベルで制御されている場合に、通常時よりも高速で定照度制御を行う様に点灯レベルが推移する。
【００６０】
また、高速で定照度制御を行う方法として本実施の形態では照明負荷の出力変化量を一定として明るさセンサの読み込み間隔を可変としたが、第１の実施の形態の様に明るさセンサ１の読み込み間隔を一定として照明負荷の出力変化量を可変としてもよい。              
【００６１】
なお、本実施の形態では図3に示す構成を用いたが、図1に示す様な構成を用いてもよい。
【００６２】
この発明の第５の実施の形態を図８および図９により説明する。第５の実施の形態は、例えば図8に示す様に構成されている。明るさセンサ１は制御部３に接続され、制御部３付近の床面の明るさを測定する。制御部３は明るさセンサ１の入力値を基に複数の照明負荷２、６の調光制御を行う。調光信号出力部４は制御部３に接続され、複数の照明負荷２、６に調光信号を出力する。通信部７は制御部３に接続され、通信ネットワーク１０からの信号を伝える。照明制御装置５は天井面１３に設置され、制御部３と明るさセンサ１と調光信号出力部４と通信部７とで構成される。複数の照明負荷９、１１は制御部３により調光制御可能である。点滅制御装置８は複数の照明負荷９、１１を点滅制御する。通信ネットワーク１０は点滅制御装置８により点滅制御可能な照明負荷９、１１、点滅制御装置８と通信部７を接続する。
【００６３】
さらに詳述すると、明るさセンサ１、調光信号出力部４、照明負荷６は第２の実施の形態と同じ動作を行う。
【００６４】
通信部７は、制御部３と通信ネットワーク１０とに接続されており、照明負荷９、１１の点滅状態を通信ネットワーク１０を介して点滅制御装置８から受信し、制御部３へと伝える。
【００６５】
照明負荷９、１１は、点滅制御装置８に接続されており、点滅制御装置８からの点滅信号を受けて点灯／消灯する。照明負荷９、１１は共に明るさセンサ１の検知エリア内を照射する位置に設置されている。
【００６６】
点滅制御装置８は、照明負荷９、１１と通信ネットワーク１０に接続されており、照明負荷９、１１を点滅制御すると共に、照明負荷９、１１の点滅状態を通信ネットワーク１０を介して通信部７へと送信する。
【００６７】
通信ネットワーク１０１０は、通信部７と点滅制御装置８とに接続されており、照明負荷９、１１の点滅状態を伝送する。
【００６８】
制御部３は、明るさセンサ１と調光信号出力部４と通信部７とに接続されており、明るさセンサ１の値が予め設定された目標値と一致する様に、調光信号出力部４を介して、照明負荷２、６に調光信号を送信する。
【００６９】
定照度制御の方法としては、第４の実施の形態とほぼ同じ方法を用いるが、下限の閾値の設定方法が異なる。すなわち、通信部７を通じて照明負荷９、１１の点滅状態を監視し、照明負荷１、２の点灯台数に応じて下限の閾値を設定する。照明負荷９、１１の何れかが点灯している状態では、明るさセンサ１の値が大きくなるため、下限の閾値も大きくしないと高速で定照度制御を行う機会を逃してしまう可能性が高い。そこで、例えば照明負荷９、１１の何れか1つが点灯している場合は下限の閾値を10％大きくし、照明負荷９、１１の両方が点灯している場合には下限の閾値を20％大きくする事にする。
【００７０】
第５の実施の形態における点灯レベルの推移例を図９により説明する。図９（ａ）はセンサ値、図９（ｂ）は負荷出力である。
【００７１】
図９中の丸印１は照明負荷９、１１が共に点灯開始したタイミング、丸印２〜８は明るさセンサ１の値を読み込むタイミングを示している。図９において、丸印１では照明負荷９、１１の両方が点灯開始する。と同時に、通信ネットワーク１０、通信部７を通じてその情報が制御部３に伝わり、下限の閾値値を変更（20％up）する。丸印２では明るさセンサ１の値は、目標値より大きいので、調光率を下げようとするが、照明負荷２、６の出力が定照度制御時の下限に達しており、これ以上調光率を下げる事ができない。丸印３は丸印２と同じである。丸印４では明るさセンサ１の値が、上限の閾値から下限の閾値まで変化し、かつ照明負荷２、６の出力が定照度制御を行う際の下限のレベルで制御されているので、次回以降の明るさセンサ１の読み込み間隔を短くする。明るさセンサ１の値は、目標値より小さいので、調光率を1％上げる。丸印５では明るさセンサ１の値は、目標値より小さいので、調光率を1％上げる。丸印６は丸印５と同じである。丸印７では明るさセンサ１の値は、目標値と一致するので、現在の点灯レベルを維持する。また、明るさセンサ１の読み込み間隔を元に戻す。丸印８では明るさセンサ１の値は、目標値と一致するので、現在の点灯レベルを維持する。
【００７２】
以下同様にして、照明負荷９、１１の点滅状態に合わせて下限の閾値を変化させながら、第４の実施の形態に示した定照度制御と同様に点灯レベルが推移する。
【００７３】
この発明の第６の実施の形態を図3および図10により説明する。第６の実施の形態は、図３に示す様に第１の実施の形態と同様な構成をとる。
【００７４】
明るさセンサ１、調光信号出力部４、照明負荷２、６は第２の実施の形態と同じ動作を行う。
【００７５】
制御部３は、明るさセンサ１と調光信号出力部４とに接続されており、明るさセンサ１の値が予め設定された目標値と一致する様に、調光信号出力部４を介して、照明負荷２、６に調光信号を送信する。明るさセンサ１の値は常に読み込む。通常時は一定間隔Tで定照度制御を行うが、照明負荷２、６の出力が定照度制御を行う際の下限の点灯レベルで制御されている状態で、かつ時間ｔの間に明るさセンサ１の入力値が上限の閾値（本例では、目標値より大きな任意の値）から下限の閾値（本例では、目標値より小さな任意の値）まで変化した場合には、明るさセンサ１の値が下限の閾値を下回った時点から、定照度制御を行う間隔を短くして（本例では、T／3）、高速で定照度制御を行う。その後、明るさセンサ１の値が目標値と一致すれば定照度制御を行う間隔を元に戻す。上下限の閾値は予め設定された値を用いる。
【００７６】
第６の実施の形態における点灯レベルの推移例を図１０により説明する。図１０（ａ）はセンサ値、図１０（ｂ）は負荷出力である。図10中の丸印１〜１１は定照度制御を行う際に照明負荷２、６の出力を変化させるタイミングを示している。
【００７７】
図10において、丸印１では明るさセンサ１の値は、目標値より大きいので、調光率を下げようとするが、照明負荷２、６の出力が定照度制御時の下限に達しており、これ以上調光率を下げる事ができない。丸印１と丸印２の間では明るさセンサ１の値が上限閾値を下回ってから時間tの間に明るさセンサの値が下限閾値を下回らなかったので、後程下限閾値を下回っても高速で定照度制御を行わない。丸印２では明るさセンサ１の値が、目標値より小さいので、調光率を1％上げる。丸印３は丸印２と同じ、丸印４は丸印１と同じである。丸印５では明るさセシサの値が上限閾値を下回ってから時間tの間に明るさセンサ１の値が下限閾値を下回り、かつ照明負荷２、６の出力が定照度制御を行う際の下限のレベルで制御されているので、閾値を下回った時点から高速（Ｔ／３の間隔）で定照度制御を行う。丸印６〜９では明るさセンサ１の値は、目標値より小さいので、調光率を1％上げる。丸印１０では明るさセンサ１の値は、目標値と一致するので、現在の点灯レベルを維持する。また、定照度制御を行う間隔を元に戻す。丸印１１では明るさセンサの値は、目標値と一致するので、現在の点灯レベルを維持する。
【００７８】
以下同様にして、時間tの間に明るさセンサの値が上限の下限値から下限の閾値まで変化し、かつ照明負荷の出力が定照度制御を行う際の下限の点灯レベルで制御されている場合に、通常時よりも高速で定照度制御を行う様に点灯レベルが推移する。
【００７９】
この発明の第７の実施の形態を図１１および図１２により説明する。本実施の形態は、例えば図１１に示す様に構成されている。明るさセンサ１は制御部３に接続され制御部３付近の床面の明るさを測定する。制御部３は明るさセンサ１の入力値を基に照明負荷２の調光制御を行う。調光信号出力部４は制御部３に接続され、照明負荷２に調光信号を出力する。通信部７は制御部３に接続され、通信ネットワーク１０を介して他の照明制御装置１２と通信を行う。照明制御装置５は天井面１３に設置され、制御部３と明るさセンサ１と調光信号出力部４と通信部７とで構成される。照明負荷２は制御部３により調光制御可能である。照明制御装置１２は照明制御装置５と同等な構成で照明負荷１１を調光制御する。照明負荷１１は照明制御装置１２により調光制御可能である。
【００８０】
さらに詳述すると、明るさセンサ１、調光信号出力部４、照明負荷２は第２の実施の形態と同じ動件を行う。照明負荷２の光は照明制御装置１２の明るさ検知エリア内にも照射する。
【００８１】
通信部７は、制御部３と通信ネットワーク１０に接続されており、通信ネットワーク１０を介して照明制御装置１２へ制御部３からの信号を送信したり、照明制御装置１２からの受信信号を制御部３へ伝える。
【００８２】
制御部３は、第２から第６の実施の形態に示したように、外光が急激に変化したと判断した場合には通常時よりも高速で定照度制御を行う。その際、通信部７を介して照明制御装置１２に対し、高速で定照度制御を行っていることを知らせる信号を送信する。逆に、隣接している照明制御装置１２からの信号で照明制御装置１２が高速で定照度制御を行っていることを知らせる信号を受信した場合には、定照度制御を一時中断し、照明制御装置が高速での定照度制御を終了するまで、現在の点灯レベルを維持する。
【００８３】
照明制御装置１２は、照明制御装置５と同様な動作を行う。
【００８４】
照明負荷１１は、照明制御装置１２に接続されており照明制御装置１２からの信号を受けて調光点灯する。照明負荷１２の光は明るさセンサ１の検知エリア内にも照射する。
【００８５】
第７の実施の形態における照明負荷の点灯レベルの堆移例を図１２により説明する。図１２（ａ）はセンサ値、図１２（ｂ）は負荷出力を示す。図１2において、丸印１では明るさセンサ１の値は、目標値より小さいので、調光率を上げる。丸印２は丸印１と同じである。丸印３では通信ネットワーク１０を介して照明制御装置１２が高速で定照度制御を開始したという信号を受信する。照明制御装置１２が通常の定照度制御に戻るまでの間、一時的に定照度制御を中断し、現在の点灯レベルを維持する。丸印４では通信ネットワーク１０を介して照明制御装置１２が高速での定照度制御を終了したという信号を受信する。これにより照明制御装置５は定照度制御を再開する。明るさセンサ１の値は、目標値より小さいので、調光率を上げる。丸印５は丸印１と同じである。丸印６では明るさセンサの値は、目標値と一致するので、現在の点灯レベルを維持する。
【００８６】
以下同様にして、通信ネットワーク１０で接続され隣接する他の照明制御装置が高速で定照度制御を行っている場合には、定照度制御を中断して点灯レベルを維持し、その他の場合には第２の実施の形態から第６の実施の形態に示したように点灯レベルが推移する。また、自身が高速で定照度制御を行う場合には、通信ネットワーク１０で接続された他の照明制御装置に対して、高速で定照度制御を行っている事を知らせる信号を送信する。
【００８７】
この発明の第８の実施の形態を図13および図14に示す。本実施の形態は例えば図13に示す様に構成されている。明るさセンサ１は制御部３に接続され制御部３付近の床面の明るさを測定する。制御部３は明るさセンサ１の入力値を基に複数の照明負荷１７の調光制御を行う。調光信号出力部４は制御部３に接続され、複数の照明負荷１７に調光信号を出力する。通信部７は制御部３に接続され、通信ネットワーク１０を介して他の照明制御装置と通信を行う。複数の照明制御装置５は天井面に設置され制御部３と明るさセンサ１と調光信号出力部４と通信部７とで構成される。複数の照明負荷１７は制御部３により調光制御可能である。複数のグループ１５、１６は複数の照明制御装置５で構成される。
【００８８】
さらに詳述すると、明るさセンサ１、調光信号出力部４、照明負荷１７は第１の実施の形態と同じ動作を行う。
【００８９】
通信部７は、制御部３と通信ネットワーク１０に接続されており、通信ネットワーク１０を介して他の照明制御装置５との間で信号（高速で定照度制御を行っているかどうかを知らせる信号）の送受信を行う。
【００９０】
制御部３は、属するグループ単位で定照度制御を行い、第２から第６の実施の形態に示したように、外光が急激に変化したと判断した場合には通常時よりも高速で定照度制御を行う。その際、通信部７を介して他のグループに属する照明制御装置５に対し、高速で定照度制御を行っていることを知らせる信号を送信する。逆に、他のグループに属する照明制御装置からの信号で他のグループが高速で定照度制御を行っていることを知らせる信号を受信した場合には、グループの定照度制御を一時中断し、他のグループが高速での定照度制御を終了するまで、現在の点灯レベルを維持する。
【００９１】
第８の実施の形態における照明負荷の点灯レベルの推移例を図１４により説明する。図１４はグループ１５に属する照明制御装置５が有する明るさセンサ１の入力値の推移例と、照明制御装置５が制御する照明負荷１７の点灯レベルの推移例を示している。図１４（ａ）はセンサ値を示し、図１４（ｂ）は負荷出力を示す。
【００９２】
図１４において、丸印１では明るさセンサ１の値は、目標値より小さいので、グループ１５の全体の調光率を上げる。丸印２は丸印１と同じである。丸印３では通信ネットワーク１０を介してグループ１６が高速で定照度制御を開始したという信号を受信する。グループ１６が通常の定照度制御に戻るまでの間、一時的にグループ１５の定照度制御を中断し、現在のグループ１５の点灯レベルを維持する。丸印４では明るさセンサの読み込みタイミングであるが、グループ１６が高速で定照度制御中なので値を読み込まない。丸印５では通信ネットワーク１０を介して照明制御装置５が高速での定照度制御を終了したという信号を受信する。次回以降の明るさセンサ１の読み込みタイミングからグループ１５の定照度制御を再開する。丸印６、７は丸印１と同じである。丸印８では明るさセンサ１の値は、目標値と一致するので、現在のグループ１５の点灯レベルを維持する。
【００９３】
以下同様にして、通信ネットワーク１０で接続され隣接する他のグループが高速で定照度制御を行っている場合には、定照度制御を中断してグループの点灯レベルを維持し、その他の場合には第２から第６の実施の形態に示したように点灯レベルが推移する。また、自身が属するグループが高速で定照度制御を行う場合には、通信ネットワーク１０で接続された他のグループに属する照明制御装置に対して、高速で定照度制御を行っている事を知らせる信号を送信する。
【００９４】
この発明の第９の実施の形態を図15に示す。本実施の形態は、例えば図15に示す様に構成されている。明るさセンサ１は制御部３に接続され、制御部３付近の床面の明るさを測定する。制御部３は明るさセンサ１の入力値を基に照明負荷２の調光制御を行う。調光信号出力部４は制御部３に接続され、照明負荷２に調光信号を出力する。スイッチ１８は制御部３に接続され、制御部３の動作内容を切替える。照明制御装置５は天井面に設置され制御部３と明るさセンサ１と調光信号出力部４とスイッチ１８とで構成される。照明負荷２は制御部３により調光制御可能に構成されている。
【００９５】
さらに詳述すると、明るさセンサ１、調光信号出力部４、照明負荷２は第２の実施の形態と同じ動作を行う。
【００９６】
スイッチ１８は、制御部３に接続されており、制御部３が外光の急激な変化を認識した場合に高速で定照度制御を行う機能の有効／無効を決定する。すなわちスイッチの状態（1／0）により動作内容を切り分ける。
【００９７】
制御部３は、明るさセンサ１と調光信号出力部４とスイッチ１８とに接続されており、明るさセンサ１の値が予め設定された目標値と一致する様に、調光信号出力部４を介して、照明負荷２に調光信号を送信する。
【００９８】
窓際で外光の影響を受ける場所に設置された照明制御装置５の場合は、スイッチ１８の値を「１」に設定し、第４の実施の形態に示すように、外光の急激な変化を認識した場合に高速で定照度制御を行う。逆に外光の影響を受けない場所に設置された照明制御装置の場合は、スイッチ１８の値を「０」に設定し、明るさセンサ入力値の急激な変化を認識した場合でも通常通りの定照度制御を行う。
【００９９】
本発明は、外光の影響を受けない箇所の照明負荷又はグループを、所定の閾値以上に外光が減少変化した場合においても通常時より高速で定照度制御しないことで、外光の影響の無い場所に設置された照明制御装置が誤って高速で定照度制御を行う事を予防する事ができるという効果を奏する。
【０１００】
なお、本実施の形態では、動作内容の切替えをスイッチで行ったが、例えばリモコン信号を用いて動作内容の切替えを行っても良い。また本実施の形態は他の実施の形態との組み合わせが可能である。
【０１０１】
この発明の第１０の実施の形態を図1および図16に示す。本実施の形態は、図１または図３と同様な構成をとる。
【０１０２】
明るさセンサ１、調光信号出力部４、照明負荷２は第２の実施の形態と同じ動作を行う。
制御部３は、第６の実施の形態の制御部とほぼ同等の動作を行う。
【０１０３】
ただし、明るさセンサ１の目標値が所定の範囲内（本例では、1Ｖ以下）で設定されている場合には、照明負荷２の出力が定照度制御を行う際の下限の点灯レベルに制御されている状態で、かつ時間ｔの間に明るさセンサ１の入力値が上限の閾値（本例では、目標値より大きな任意の値）から下限の閾値（本例では、目標値より小さな任意の値）まで変化しても第６の実施の形態の様に高速で定照度制御を行わず、通常通りの定照度制御を行う。上限／下限の閾値は明るさセンサ１の目標値に対する倍率で設定する。
【０１０４】
第１０の実施の形態における点灯レベルの推移例を図１６により説明する。図１６（ａ）はセンサ値、図１６（ｂ）は負荷出力を示す。図16において、丸印１では明るさセンサ１の値は、目標値より大きいので、調光率を下げようとするが、照明負荷２の出力が定照度制御時の下限に達しており、これ以上調光率を下げる事ができない。丸印２は丸印１と同じである。丸印２と丸印３との間では、明るさセンサ１の値が上限閾値を下回ってから時間tの間に明るさセンサ１の値が下限閾値を下回り、かつ照明負荷２の出力が定照度制御を行う際の下限のレベルで制御されているが、明るさセンサ１の目標値が所定の範囲内（1v以下）なので、高速での定照度制御は行わない。丸印３では明るさセンサ１の値は、目標値より小さいので、調光率を1％上げる。丸印４では明るさセンサ１の値は、目標値と一致するので、現在の点灯レベルを維持する。丸印５では明るさセンサ１の値は、目標値より大きいので、調光率を1％下げる。丸印6は丸印4と同じである。
【０１０５】
以下同様にして、明るさセンサ１の目標値が所定の範囲内で設定されている場合には、高速での定照度制御は行わず、通常通りの定照度制御を行うように点灯レベルが推移する。
【０１０６】
本発明は、定照度制御の目標値が所定の範囲内の時には、所定の閥値以上に外光が減少変化した場合においても通常時より高速で定照度制御を行わない事で、明るさセンサの入力値のノイズ成分等の影響で、誤って高速で定照度制御を行う事を予防する事ができるという効果を奏する。
【０１０７】
なお、本実施の形態は他の実施の形態との組み合わせが可能である。
【０１０８】
なお、外光が急に明るくなったときに照明を急に暗くするとユーザは照明が故障したかのように把握することがあるので外光が明るくなったときの照明の変化はゆっくりと光出力を下げることが望ましい場合がある。
【図面の簡単な説明】
【０１０９】
【図１】従来例および実施の形態に用いられる照明装置のブロック図である。
【図２】従来例の点灯レベルの推移を示すグラフであり、（ａ）はセンサ値、（ｂ）は負荷出力である。
【図３】第１の実施の形態の照明装置のブロック図である。
【図４】その点灯レベルの推移を示すグラフであり、（ａ）はセンサ値、（ｂ）は負荷出力である。
【図５】第２の実施の形態の点灯レベルの推移を示すグラフであり、（ａ）はセンサ値、（ｂ）は負荷出力である。
【図６】第３の実施の形態の点灯レベルの推移を示すグラフであり、（ａ）はセンサ値、（ｂ）は負荷出力である。
【図７】第４の実施の形態の点灯レベルの推移を示すグラフであり、（ａ）はセンサ値、（ｂ）は負荷出力である。
【図８】第５の実施の形態のブロック図である。
【図９】その点灯レベルの推移を示すグラフであり、（ａ）はセンサ値、（ｂ）は負荷出力である。
【図１０】第６の実施の形態の点灯レベルの推移を示すグラフであり、（ａ）はセンサ値、（ｂ）は負荷出力である。
【図１１】第７の実施の形態の照明システムのブロック図である。
【図１２】その点灯レベルの推移を示すグラフであり、（ａ）はセンサ値、（ｂ）は負荷出力である。
【図１３】第８の実施の形態の照明システムのブロック図である。
【図１４】その点灯レベルの推移を示すグラフであり、（ａ）はセンサ値、（ｂ）は負荷出力である。
【図１５】第９の実施の形態の照明装置のブロック図である。
【図１６】第１０の実施の形態の点灯レベルの推移を示すグラフであり、（ａ）はセンサ値、（ｂ）は負荷出力である。
【符号の説明】
【０１１０】
１    明るさセンサ
２    照明負荷
３    制御部
４    調光信号出力部
５    照明制御装置
６    照明負荷
７    通信部
８    点滅制御装置
１０    通信ネットワーク
１１    照明負荷
１２    照明制御装置
１５    グループ
１６    グループ
１７    照明負荷
【図１】
2005071776.tif 000004
【図２】
2005071776.tif 000005
【図３】
2005071776.tif 000006
【図４】
2005071776.tif 000007
【図５】
2005071776.tif 000008
【図６】
2005071776.tif 000009
【図７】
2005071776.tif 000010
【図８】
2005071776.tif 000011
【図９】
2005071776.tif 000012
【図１０】
2005071776.tif 000013
【図１１】
2005071776.tif 000014
【図１２】
2005071776.tif 000015
【図１３】
2005071776.tif 000016
【図１４】
2005071776.tif 000017
【図１５】
2005071776.tif 000018
【図１６】
2005071776.tif 000019